(57)【要約】【課題】スライド式電子機器において、フレキシブルリードシート（ＦＬＳ）を用い、単純な構成で断線の危険性を小さくする。【解決手段】ＰＤＡ３０は、端子部９０及び９２を有するＦＬＳ８２と、表示装置用回路基板を内蔵し、端子部９０のコネクタを持つ第１筐体４０、端子部９２のコネクタを持つ第２筐体４２、第２筐体４２のコネクタ配置面を第１筐体４０のコネクタ配置面が覆う第１姿勢と、第２筐体４２のコネクタ配置面の一部が露出される第２姿勢との間で、第１筐体４０を第２筐体４２に対し所定の軌跡に沿って並進可能に連結する並進機構を含む連結機構とを含む。端子部９０及び９２とＦＬＳ８２とは、ＰＤＡ３０が第１姿勢のときには並進方向Ｙ２と交差するＹ１方向の軸回りの屈曲面が形成されず、第１姿勢から第２の姿勢に変化すると、Ｙ１方向の二つの軸周りに屈曲面が形成されるよう形状と配置が決定されている。【選択図】      図５
2008123081.tif 000002
【特許請求の範囲】
【請求項１】
第１の端子部と第２の端子部とを有し、前記第１の端子部内の端子と前記第２の端子部内の端子とを互いに電気的に接続するフレキシブルリードシートと、
第１の回路基板を内蔵し、前記第１の端子部が連結される第１のコネクタが配置されたコネクタ配置面を有する第１筐体と、
第２の回路基板を内蔵し、前記第２の端子部が連結される第２のコネクタが配置されたコネクタ配置面を有する第２筐体と、
前記第２筐体の前記コネクタ配置面を前記第１筐体の前記コネクタ配置面が覆う第１姿勢と、前記第２筐体の前記コネクタ配置面の少なくとも一部が露出される第２姿勢との間で、前記第１筐体を前記第２筐体に対し所定の軌跡に沿って並進移動可能に連結する並進機構を含む、前記第１筐体と前記第２筐体とを互いに連結する連結機構とを備える電子機器であって、
前記第１の端子部と、前記第２の端子部と、前記第１のコネクタと、前記第２のコネクタと、前記フレキシブルリードシートとは、
前記並進機構による、前記電子機器の前記第１姿勢と前記第２姿勢との間での変化に応じて、前記フレキシブルリードシートに交差する方向の、少なくとも二つの軸回りにそれぞれ屈曲面が形成されるよう、その形状及び配置が決定されている、電子機器。
【請求項２】
第１の端子部と第２の端子部とを有し、前記第１の端子部内の端子と前記第２の端子部内の端子とを互いに電気的に接続するフレキシブルリードシートと、
第１の回路基板を内蔵し、前記第１の端子部が連結される第１のコネクタが配置されたコネクタ配置面を有する第１筐体と、
第２の回路基板を内蔵し、前記第２の端子部が連結される第２のコネクタが配置されたコネクタ配置面を有する第２筐体と、
前記第１筐体と前記第２筐体とを互いに連結する連結機構とを含む電子機器であって、
前記連結機構は、
前記第２筐体の前記コネクタ配置面を前記第１筐体の前記コネクタ配置面が覆う第１姿勢と、前記第２筐体の前記コネクタ配置面の少なくとも一部領域が露出される第２姿勢との間で、前記第１筐体を前記第２筐体に対し所定の軌跡に沿って並進移動可能に連結する第１の並進機構、及び
前記第１姿勢と、前記第２筐体の前記コネクタ配置面の前記一部領域とは異なる領域が露出される第３姿勢との間で、前記第１筐体を前記第２筐体に対し所定の軌跡に沿って並進移動可能に連結する第２の並進機構を含み、
前記第１の端子部と、前記第２の端子部と、前記第１のコネクタと、前記第２のコネクタと、前記フレキシブルリードシートとは、前記第１の端子部が前記第１のコネクタに、前記第２の端子部が前記第２のコネクタに、それぞれ連結された状態で、
前記第１の並進機構による前記第１姿勢と前記第２姿勢との間の変化によって、前記フレキシブルリードシートの、前記並進の方向と交差する方向の軸回りの屈曲面が変形し、
前記第２の並進機構による前記第１姿勢と前記第３姿勢との間の変化によって、前記第２の並進機構による並進方向と交差する方向の軸回りの屈曲面が変形するようにその形状及び配置が決定されており、それによって、
前記第１姿勢と前記第２姿勢、前記第１姿勢と前記第３姿勢との間の変化によっても前記フレキシブルリードシートによる前記第１の端子部と前記第１のコネクタとの間の連結、及び前記第２の端子部と前記第２のコネクタとの間の連結が保持される、電子機器。
【請求項３】
前記第１筐体の前記コネクタ配置面の裏面には表示装置が配置され、
前記第１の回路基板には、前記表示装置を制御する電子回路が配置されており、
前記第２の回路基板から前記第１の回路基板には、前記フレキシブルリードシートを介して、前記表示装置に対する入力信号が与えられる、請求項１又は請求項２に記載の電子機器。
【請求項４】
各々が第１の端子部と第２の端子部とを有し、前記第１の端子部内の端子と前記第２の端子部内の端子とを互いに電気的に接続する第１及び第２のフレキシブルリードシートと、
第１の回路基板を内蔵し、前記第１及び第２のフレキシブルリードシートの前記第１の端子部がそれぞれ連結される第１及び第２のコネクタが配置されたコネクタ配置面を有する第１筐体と、
第２の回路基板を内蔵し、前記第１及び第２のフレキシブルリードシートの前記第２の端子部がそれぞれ連結される第３及び第４のコネクタが配置されたコネクタ配置面を有する第２筐体と、
前記第２筐体の前記コネクタ配置面を前記第１筐体の前記コネクタ配置面が覆う第１姿勢と、前記第２筐体の前記コネクタ配置面の少なくとも一部が露出される第２姿勢との間で、前記第１筐体を前記第２筐体に対し所定の軌跡に沿って並進移動可能に連結する並進機構を含む、前記第１筐体と前記第２筐体とを互いに連結する連結機構とを備える電子機器であって、
前記第１及び第２のフレキシブルリードシートの各々の前記第１及び第２の端子部と、前記第１、第２、第３及び第４のコネクタと、前記第１及び第２のフレキシブルリードシートとは、
前記電子機器による前記第１姿勢と前記第２姿勢との間の変化によって、前記第１及び第２のフレキシブルリードシートのいずれにおいても、前記並進の方向と交差する方向の軸回りの屈曲面の変形が生じ、
かつ前記第１及び第２のフレキシブルリードシートとは、前記第１及び第２のフレキシブルリードシートの前記屈曲面が互いに重なり合うように配置されている、電子機器。
【発明の詳細な説明】
【技術分野】
【０００１】
この発明は電子機器に関し、特に、多くの機能を持ち、機能に応じて形態を変化させて使用する電子機器に関する。
【背景技術】
【０００２】
近年、携帯電話に代表される、片手で保持可能な小型の携帯型端末では、電話（通話）機能及び電子メールの作成・送受信・表示機能などに代表される通信機能を主体に、電話機、パーソナルコンピュータ（以下「パソコン」と呼ぶ。）に代表される携帯型端末の様々な機能が取り入れられている。この多機能化に伴い、ユーザが携帯型端末を使用する状況に対して適切な形態で動作することができるような機器構造が提案されている。
【０００３】
特許文献１には、スライドタイプの携帯電話機が開示されている。この携帯電話機は、第１筐体と第２筐体とが互いにスライド可能に係合し、第１筐体のスライド面上には複数の操作キーが配備され、第２筐体の表面（第１筐体側と異なる面）にはディスプレイが配備されている。かばん又はポケットなどに収納された状態では、ユーザが意図しないようなボタン操作を生じないよう、第２筐体をスライドさせて閉じることにより、第１筐体の操作キーが隠される。
【０００４】
このようなスライド式携帯電話機においては、第１筐体に携帯電話機の主回路基板が内蔵され、第２筐体に表示装置用の回路基板が内蔵されており、両者を電気的に接続する必要がある。そのため両回路基板を接続するためにフレキシブルリードシートが使用されている。
【０００５】
すなわち、第１筐体内の回路基板上に配置されたコネクタと、第２筐体内の回路基板上に配置されたコネクタとに対し、Ｕ字状に屈曲したフレキシブルリードシートの両端部に設けられた端子部が連結されている。
【０００６】
同様のスライド機構を採用した携帯型端末が、特許文献２に開示されている。特許文献２に記載の構成でも、第１筐体内の回路基板と第２筐体内の回路基板とはフレキシブルリードシートにより接続されている。この特許文献２の場合には、特許文献１のようなＵ字状に屈曲するものではなく、次のような機構を採用している。
【０００７】
すなわち、フレキシブルリードシートの一端の端子部は、第１筐体側の回路基板上のコネクタに連結されている。他方の端子部は、第２筐体表面に設けられた開口部から第２筐体内部に挿入され、第２筐体内部に設けられた導体面に摺動可能に接触させられている。
【０００８】
第１筐体と第２筐体とをスライドさせて伸長状態とする場合には、フレキシブルリードシートが導体面と摺動しながら第２筐体から所定長だけ引出される。収縮状態となる場合には、フレキシブルリードシートが第２筐体内に収納される。フレキシブルリードの第２筐体内部の端子部が導体面と摺動しながら第２筐体内部を移動するので、伸長状態のときも収縮状態のときもフレキシブルリードシートはほぼ伸長した状態に保たれる。
【特許文献１】特開２００６−１１５１１４号公報（図３）
【特許文献２】特開２００５−１３６６０１号公報（図１、図２）
【発明の開示】
【発明が解決しようとする課題】
【０００９】
特許文献１に開示された構成の場合、常にフレキシブルリードシートが屈曲状態となっており、フレキシブルリードシートに屈曲による負荷（以下「屈曲負荷」と呼ぶ。）がかかり続けているという問題がある。フレキシブルリードシートを使用する場合、できるだけ屈曲負荷がかかる時間を短くし、断線などの障害の発生を防止することが望ましい。
【００１０】
一方、特許文献２に開示された構成の場合には、第２筐体内部に摺動可能な導体面を設ける必要がある上、フレキシブルリードシートの端子部としてもこの導体面と接触しながら摺動可能な構成を設ける必要がある。そのため、フレキシブルリードシートにかかる屈曲負荷は小さくなるかもしれないが、構成が複雑になり、さらに摺動部において故障が発生する可能性が高いという問題がある。
【００１１】
さらに、既にいわゆるワンセグ放送が開始されていることからも分かるとおり、これからの携帯型端末にはワンセグ放送を視聴する機能を実装することが重要になってくる。ワンセグ放送の視聴を快適に行なえるようにするためには、表示部はできるだけ大きく、しかも横型での表示ができるようにすることが望ましい。また、携帯型端末のディスプレイを用いたゲームなども普及しており、この場合も表示部はできるだけ大きく、横型でも縦型でも利用できるようにすることが望ましい。
【００１２】
そのためには、アプリケーションにあわせて筐体の姿勢を複数通りに切替えることができるような機構が望ましい。特許文献１及び特許文献２のいずれに開示された装置においても、スライド方向は一方向のみであり、姿勢を複数通りに変化させるためにはこれら文献に開示された機構以外の機構を開発する必要がある。例えば、第１筐体と第２筐体とを互いにスライドさせる方向を複数通りとすることで、多様な姿勢を実現することができる。しかし、そうした場合に、筐体内の回路基板同士をどのような手段を用いて接続するかが問題となる。特許文献１と特許文献２とに開示された機構では、複数方向にスライド可能なように組合わされた筐体内の回路基板を互いに電気的に接続することはできない。
【００１３】
また、フレキシブルリードシートによりそのような接続が可能となった場合でも、フレキシブルリードシートに係る屈曲負荷はできるだけ小さくすることが、断線などの問題を避ける上で好ましい。
【００１４】
こうした問題は、携帯型端末などに限られず、使用時にスライド式にその形態を変える電子機器であればどのようなものにも生じうる問題である。
【００１５】
それ故に本発明の目的は、スライド式の筐体を採用した電子機器において、フレキシブルリードシートを用い、単純な構成で断線の危険性が小さくなるような接続機構を採用した電子機器を提供することである。
【００１６】
本発明の他の目的は、複数方向へのスライドが可能なスライド式の筐体を採用した電子機器において、フレキシブルリードシートを用い、単純な構成で断線の危険性が小さくなるように二つの筐体内の回路基板を電気的に接続可能な接続機構を採用した電子機器を提供することである。
【００１７】
本発明のさらに他の目的は、スライド式の筐体を採用した電子機器において、フレキシブルリードシートを用い、多様な使用形態を実現でき、しかも単純な構成で断線の危険性が小さくなるような接続機構を採用した電子機器を提供することである。
【課題を解決するための手段】
【００１８】
本発明の第１の局面に係る電子機器は、第１の端子部と第２の端子部とを有し、第１の端子部内の端子と第２の端子部内の端子とを互いに電気的に接続するフレキシブルリードシートと、第１の回路基板を内蔵し、第１の端子部が連結される第１のコネクタが配置されたコネクタ配置面を有する第１筐体と、第２の回路基板を内蔵し、第２の端子部が連結される第２のコネクタが配置されたコネクタ配置面を有する第２筐体と、第２筐体のコネクタ配置面を第１筐体のコネクタ配置面が覆う第１姿勢と、第２筐体のコネクタ配置面の少なくとも一部が露出される第２姿勢との間で、第１筐体を第２筐体に対し所定の軌跡に沿って並進移動可能に連結する並進機構を含む、第１筐体と第２筐体とを互いに連結する連結機構とを備える。第１の端子部と、第２の端子部と、第１のコネクタと、第２のコネクタと、フレキシブルリードシートとは、並進機構による、電子機器の第１姿勢と第２姿勢との間の変化に応じて、フレキシブルリードシートに交差する方向の、少なくとも二つの軸回りにそれぞれ屈曲面が形成されるよう、その形状及び配置が決定されている。
【００１９】
これにより、例えば、第１姿勢のときにはフレキシブルリードシートには並進方向と交差する方向の軸回りの屈曲面が形成されず、フレキシブルリードシートにかかる屈曲負荷はほぼなくなる様に構成できる。すなわち、電子機器が長く第１姿勢にあることが想定される場合には、上記した構成とすることによって、第１及び第２姿勢の間で第１筐体と第２筐体との状態を並進機構によって変化させることができ、さらにフレキシブルリードシートの劣化を防ぎ、断線等の障害の発生を防止することができる。また、端子部とコネクタとの間は通常の接続方式で接続すればよい。その結果、スライド式の筐体を採用した電子機器において、フレキシブルリードシートを用い、単純な構成で断線の危険性が小さくなるような接続機構を採用した電子機器を提供することができる。
【００２０】
本発明の第２の局面に係る電子機器は、第１の端子部と第２の端子部とを有し、第１の端子部内の端子と第２の端子部内の端子とを互いに電気的に接続するフレキシブルリードシートと、第１の回路基板を内蔵し、第１の端子部が連結される第１のコネクタが配置されたコネクタ配置面を有する第１筐体と、第２の回路基板を内蔵し、第２の端子部が連結される第２のコネクタが配置されたコネクタ配置面を有する第２筐体と、第１筐体と第２筐体とを互いに連結する連結機構とを含む。連結機構は、第２筐体のコネクタ配置面を第１筐体のコネクタ配置面が覆う第１姿勢と、第２筐体のコネクタ配置面の少なくとも一部領域が露出される第２姿勢との間で、第１筐体を第２筐体に対し所定の軌跡に沿って並進移動可能に連結する第１の並進機構、及び、第１姿勢と、第２筐体のコネクタ配置面の一部領域とは異なる領域が露出される第３姿勢との間で、第１筐体を第２筐体に対し所定の軌跡に沿って並進移動可能に連結する第２の並進機構を含む。第１の端子部と、第２の端子部と、第１のコネクタと、第２のコネクタと、フレキシブルリードシートとの形状及び配置は、第１の端子部が第１のコネクタに、第２の端子部が第２のコネクタに、それぞれ連結された状態で、第１の並進機構による第１姿勢と第２姿勢との間の変化によって、フレキシブルリードシートの、並進の方向と交差する方向の軸回りの屈曲面が変形し、第２の並進機構による第１姿勢と第３姿勢との間の変化によって、第２の並進機構による並進方向と交差する方向の軸回りの屈曲面が変形するように決定されている。それによって、第１姿勢と第２姿勢、第１姿勢と第３姿勢との間の変化によってもフレキシブルリードシートによる第１の端子部と第１のコネクタとの間の連結、及び第２の端子部と第２のコネクタとの間の連結が保持される。
【００２１】
第１姿勢と第２姿勢との間の変化の際には、フレキシブルリードシートの、第１の並進機構による並進方向と交差する方向の軸回りの屈曲面が変形し、第２の並進機構による第１姿勢と第３姿勢との間の変化の際には、第２の並進機構による並進方向と交差する方向の軸回りの屈曲面が変形する。そしてこれらの変形によって、第１姿勢と第２姿勢、第１姿勢と第３姿勢との間の変化によってもフレキシブルリードシートによる第１の端子部と第１のコネクタとの間の連結、及び第２の端子部と第２のコネクタとの間の連結が保持されるようにこれら端子部、コネクタ及びフレキシブルリードシートの形状及び配置が決定されている。また、端子部とコネクタとの間の接続は、単純な構成でよい。第１、第２及び第３姿勢という異なる姿勢で電子機器を利用することができ、複数方向へのスライドが可能なスライド式の筐体を採用した電子機器において、フレキシブルリードシートを用い、単純な構成で断線の危険性が小さくなるように二つの筐体内の回路基板を電気的に接続可能な接続機構を採用した電子機器を提供できる。
【００２２】
好ましくは、第１筐体のコネクタ配置面の裏面には表示装置が配置され、第１の回路基板には、表示装置を制御する電子回路が配置されており、第２の回路基板から第１の回路基板には、フレキシブルリードシートを介して、表示装置に対する入力信号が与えられる。
【００２３】
第１筐体に表示装置が内蔵されており、一方第１筐体と第２筐体との姿勢を変化させ、第２姿勢では第２筐体のコネクタ配置面の少なくとも一部が露出される。この面に、表示装置を操作するための入力部などを設けることができ、表示装置を用いた情報処理を効率的に行なうことができる。
【００２４】
本発明の第３の局面に係る電子機器は、各々が第１の端子部と第２の端子部とを有し、第１の端子部内の端子と第２の端子部内の端子とを互いに電気的に接続する第１及び第２のフレキシブルリードシートと、第１の回路基板を内蔵し、第１及び第２のフレキシブルリードシートの第１の端子部がそれぞれ連結される第１及び第２のコネクタが配置されたコネクタ配置面を有する第１筐体と、第２の回路基板を内蔵し、第１及び第２のフレキシブルリードシートの第２の端子部がそれぞれ連結される第３及び第４のコネクタが配置されたコネクタ配置面を有する第２筐体と、第２筐体のコネクタ配置面を第１筐体のコネクタ配置面が覆う第１姿勢と、第２筐体のコネクタ配置面の少なくとも一部が露出される第２姿勢との間で、第１筐体を第２筐体に対し所定の軌跡に沿って並進移動可能に連結する並進機構を含む、第１筐体と第２筐体とを互いに連結する連結機構とを備える電子機器である。第１及び第２のフレキシブルリードシートの各々の第１及び第２の端子部と、第１、第２、第３及び第４のコネクタと、第１及び第２のフレキシブルリードシートとは、電子機器による第１姿勢と第２姿勢との間の変化によって、第１及び第２のフレキシブルリードシートのいずれにおいても、並進方向と交差する方向の軸回りの屈曲面の変形が生じ、かつ第１及び第２のフレキシブルリードシートとは、第１及び第２のフレキシブルリードシートの屈曲面が互いに重なり合うように配置されている。
【００２５】
この電子機器では、第１及び第２のフレキシブルリードシートの各々が、第１姿勢と第２姿勢との間での姿勢の変化を許容するようにできている。しかも、第１及び第２のフレキシブルリードシートとは、互いの屈曲面が互いに重なり合うように配置されている。そのため、単独でフレキシブルリードシートを用いる場合と比較して、第１及び第２のフレキシブルリードシートにかかる屈曲負荷が小さくなり、電子機器の多様な使用を可能にしながら、それに伴うフレキシブルリードシートの断線などの故障の発生する危険性を小さくすることができる。
【発明の効果】
【００２６】
以上のように本発明によれば、第１及び第２姿勢の間で第１筐体と第２筐体との状態を並進機構によって変化させることができ、さらに電子機器が長く第１姿勢にあることが想定される場合に、フレキシブルリードシートの劣化を防ぎ、断線等の障害の発生を防止することができる。また、端子部とコネクタとの間は通常の接続方式で接続すればよい。その結果、スライド式の筐体を採用した電子機器において、フレキシブルリードシートを用い、単純な構成で断線の危険性が小さくなるような接続機構を採用した電子機器を提供することができる。
【００２７】
また、第１姿勢と、第２又は第３姿勢との間での変形の際にも、フレキシブルリードシートを用い、単純な構成で第１筐体及び第２筐体の間の電気的接続を保つことができる。その結果、第１、第２及び第３姿勢という異なる姿勢で電子機器を利用することができ、複数方向へのスライドが可能なスライド式の筐体を採用した電子機器において、フレキシブルリードシートを用い、単純な構成で断線の危険性が小さくなるように二つの筐体内の回路基板を電気的に接続可能な接続機構を採用した電子機器を提供できる。
【００２８】
さらに、第１及び第２のフレキシブルリードシートを用い、個別に第１筐体と第２筐体とが第１姿勢及び第２姿勢の間で変化できるようにし、さらにこれらのフレキシブルリードシートとの屈曲面が互いに重なり合うように配置すると、単独でフレキシブルリードシートを用いる場合と比較して、フレキシブルリードシートにかかる屈曲負荷が小さくなり故障が発生する危険性をさらに小さくできる。その結果、電子機器の多様な使用を可能にしながら、それに伴うフレキシブルリードシートの断線などの故障の発生する危険性を小さくすることができる。
【発明を実施するための最良の形態】
【００２９】
以下、本発明の実施の形態を図面を参照して説明する。以下の説明では、同じ部品には同じ参照番号を付してある。それらの名称及び機能も同一である。したがって、それらについての詳細な説明は繰返さない。
【００３０】
なお、本明細書中では、フレキシブルリードシートの「変形」とは、フレキシブルリードシートの屈曲部の位置の移動、屈曲部の生成及び消滅を含む概念である。
【００３１】
［第１の実施の形態］
図１に、本発明の第１の実施の形態に係る電子機器であるＰＤＡ（Ｐｅｒｓｏｎａｌ
Ｄｉｇｉｔａｌ  Ａｓｓｉｓｔａｎｔ）３０の外観を示す。図１（Ｂ）を参照して、このＰＤＡ３０は、メインディスプレイ４６が配置された上面４４を有する第１筺体４０と、第１筺体４０によって上面全体が覆われるように第１筺体４０に連結されている第２筺体４２とを含む。第２筺体４２は、後述するように上面４４を用いたＰＤＡ３０への情報入力のための入力装置を有している。
【００３２】
なお、本実施の形態に係るＰＤＡ３０では、第１筺体４０及び第２筺体４２の寸法は互いにほぼ等しく、メインディスプレイ４６の短辺方向の長さがＣｙ，長辺方向の長さがＣｘである。
【００３３】
第１筺体４０は、図１には図示していない連結機構により、図１（Ｂ）に示した状態から第２筺体４２の短辺方向に沿って距離Ｌｙ（Ｌｙ＜Ｃｙ）だけ図示上方への並進によるスライド移動と、第２筺体４２の長辺方向に沿って距離Ｌｘ（Ｌｘ＜Ｃｘ）だけ図示左側への並進によるスライド移動との双方が可能なように第１筺体に連結されている。第１筺体４０が第２筺体４２の短辺方向にスライドした後のＰＤＡ３０の外観を図１（Ａ）に、第１筺体４０が第２筺体４２の長辺方向にスライドした後のＰＤＡ３０の外観を図１（Ｃ）に、それぞれ示す。以下、図１（Ｂ）に示す姿勢を第１姿勢、図１（Ａ）に示す姿勢を第２姿勢、図１（Ｃ）に示す姿勢を第３姿勢と呼ぶ。また、第１姿勢と第２姿勢との間の変化を縦方向スライド、第１姿勢と第３姿勢との間の変化を横方向スライドと呼ぶ。
【００３４】
縦方向スライドの場合も横方向スライドの場合も、第１筺体４０は第２筺体４２に対して並進するため、第２筺体４２をもつ利用者から見ると第１筺体４０上のメインディスプレイ４６の姿勢は変わらない。姿勢を変えた後に改めてメインディスプレイ４６の表示を切替えたりする必要がなく、操作がしやすいという特徴がある。並進の方向は本実施の形態ではメインディスプレイ４６の短辺に平行な方向と、長辺に平行な方向との２方向であり、いずれも直線移動となっている。このような移動方向とすると、利用者には直感的に操作しやすく、姿勢を変えるための操作に迷うおそれが少ないという利点がある。ただし、並進の方向はこのような直線に限定されるわけではなく、またその方向もメインディスプレイ４６の短辺及び長辺に平行な方向に限定されるわけではない。例えば第１筺体４０の移動の軌跡が曲線を描いてもよいし、メインディスプレイ４６の短辺及び長辺に対し所定の角度で交わるような方向に移動するようにしてもよい。
【００３５】
図２に、第２筺体４２の外観を示す。図２を参照して、第２筺体４２は概略扁平な直方体形状であって、文字入力等に使用される多数のメインキー５２と、カーソル移動に使用されるカーソルキー５４と、入力の確定時に使用される確定キー５６と、メインディスプレイ４６と独立に画像を表示可能なサブディスプレイ５８とが配置された上面５０を有する。メインキー５２は、上面５０の中央よりわずかに左寄りに配置されている。上面５０の、図２における上端から等距離の位置に、前述した連結機構の一部を構成する二つの突起部６０及び６２が設けられている。本実施の形態では、突起部６０及び６２は、上面５０において左右対称な位置に配置されている。突起部６０及び６２は、前述した連結機構の一部を形成している。
【００３６】
なお、上面５０は、その下辺から距離Ｌｙまでの第１の領域と、そこから上辺までの第２の領域とに分けることができる。メインキー５２、カーソルキー５４及び確定キー５６はいずれも第１の領域に設けられている。サブディスプレイ５８、突起部６０及び６２はいずれも、第２の領域に設けられている。
【００３７】
図３に、第１筺体４０の背面７２の概略構成を示す。図３を参照して、第１筺体４０の背面７２の、図３における左端付近には、カメラレンズ７８が設けられている。カメラレンズ７８は通常は露出しないが、ＰＤＡ３０を第２姿勢及び第３姿勢にすると露出する。カメラを使用する場合、第２姿勢では図１に示すメインディスプレイ４６をファインダとして使用するが、第３姿勢では、メインディスプレイ４６はオフにし、サブディスプレイ５８をファインダとして使用してもよい。
【００３８】
図３に一点鎖線で示したように、スライドガイド７４に突起部６０が係合し、スライドガイド７６には突起部６２が係合することにより、第２筺体４２と第１筺体４０とを互いにスライド可能に連結する連結機構が形成される。スライド方向は、第２筺体４２の短辺方向と、長辺方向とである。突起部６０及び６２がスライドガイド７４及び７６の長辺側の先端にあるときのＰＤＡ３０の姿勢が図１（Ａ）に示す第２姿勢、短辺側の先端にあるときのＰＤＡ３０の姿勢が図１（Ｃ）に示す第３姿勢、突起部６２及び６４がスライドガイド７４及び７６の屈曲部にあるときのＰＤＡ３０の姿勢が図１（Ｂ）に示す第１姿勢である。したがって、図３におけるスライドガイド７４及び７６の短辺部と第１筺体４０の背面７２の上辺との間の距離は、図２に示す突起部６０及び６２と第２筺体４２の上面５０の上辺との間の距離とほぼ等しい。
【００３９】
スライドガイド７４及び７６の長辺部の長さをＧｙ、短辺部の長さをＧｘとすると、以下の関係が成立する。
【００４０】
Ｇｙ＝Ｌｙ
Ｇｘ＝Ｌｘ
【００４１】
図１（Ａ）を参照して、第２姿勢では、第１筺体４０が図における上方に距離Ｌｙだけ移動しているため、メインキー５２、カーソルキー５４及び確定キー５６が露出している。この状態では、メインディスプレイ４６を見ながら、メインキー５２、カーソルキー５４及び確定キー５６を使用してテキストの入力を行なうことができる。第１姿勢では、上面５０のうちの露出される面積が比較的大きいため、メインキー５２を多数配置することができ、高速にテキストの入力を行なうことができる。
【００４２】
図１（Ｃ）を参照して、第３姿勢では、第１筺体４０が図における左方向に所定距離Ｌｘだけスライドする。その結果、第２筺体４２の上面５０のうち右端の一部（幅Ｌｘの領域）が露出され、カーソルキー５４及び確定キー５６が操作可能になるとともに、サブディスプレイ５８を見ることができるようになる。上面５０のうち、このときに露出される領域を第３の領域、露出されない領域を第４の領域と呼ぶ。
【００４３】
図１（Ｂ）に示されるように第２筺体４２の長辺の長さをＣｘ、短辺の長さをＣｙとすると、本実施の形態では、Ｇｘ、Ｇｙ、Ｃｘ、及びＣｙの値は、以下の関係式が成立するように選ばれている。
【００４４】
Ｇｘ／Ｃｘ＜Ｇｙ／Ｃｙ      （１）
式（１）から、本実施の形態では、第２筺体４２の短辺に対して縦方向スライドの長さが占める割合は、その長辺に対して横方向スライドの長さが占める割合よりも大きいことが分かる。これは、第２姿勢では文字入力が主として行なわれることが想定されるため、メインキー５２を全て露出させる必要があるのに対し、第３姿勢はそのような文字入力には用いられず、例えばＴＶの視聴又はゲームの実行に用いられることが想定されるため、メインキー５２を露出する必要がなく、むしろメインキー５２を露出させないことが望ましいためである。
【００４５】
なお、図３に示すような形状で二つのＬ字型スライドガイド７４及び７６を横に並べて形成した場合、自ずからＧｘ＜Ｃｘ／２という制限が式（１）の制限に加えて生じる。実際には、メインキー５２が上面５０の大部分を占めるため、第３姿勢でメインキー５２を露出させないようにするためには、Ｇｘはさらに小さくなり、Ｇｘ＝Ｃｘ／５程度とするのが好ましい。
【００４６】
図１に示すように、第１姿勢と第２姿勢又は第３姿勢との間のスライド移動を行なう場合でも、第２筺体４２及び第１筺体４０中の電子回路は互いに電気的に接続する必要がある。本実施の形態では、このために図４に示すような平面形状のＦＰＣ８０を第２筺体４２と第１筺体４０との間に介在させて使用する。
【００４７】
図４（Ａ）を参照して、ＦＰＣ８０は、互いに重なり合うように配置される二つのフレキシブルリードシート８２及び８４を含む。これらはそれぞれ独立に第１筐体４０と第２筐体４２とを電気的に接続するためのものである。図４（Ｂ）にフレキシブルリードシート８２の平面形状を、図４（Ｃ）にフレキシブルリードシート８４を、それぞれ示す。フレキシブルリードシート８２は第１筐体４０内の表示装置用ドライバの回路基板と第２筐体４２内の回路基板とを接続するためのものである。フレキシブルリードシート８４は第１筐体４０内のタッチパネル及びカメラ用の回路基板と第２筐体４２内の回路基板とを接続するためのものである。
【００４８】
図４（Ｂ）を参照して、フレキシブルリードシート８２は、表示装置用端子部９０と、第２筐体側端子部９２と、両者に含まれる端子を互いに接続するリード線が封入された、直角の４箇所のコーナーを介して連続する、第１〜第５の直線部１００，１０２，１０４，１０６，１０８とを含む。直線部１００，１０２，１０４，１０６，１０８は、フレキシブルリードシート８２を図４（Ｂ）に示すように展開したときに、表示装置用端子部９０と第２筐体側端子部９２とが互いに反対側に配置されるような形状となっている。第２筐体４２内の回路基板からは、第２筐体側端子部９２、フレキシブルリードシート８２及び表示装置用端子部９０を介して第１筐体４０内の表示装置用の回路基板に対する入力信号が与えられる。
【００４９】
図４（Ｃ）を参照して、フレキシブルリードシート８４は、タッチパネル・カメラ用端子部９６と、第２筐体側端子部９４と、両者に含まれる端子を互いに接続するリード線が封入された、直角のコーナーを二箇所介して互いに連続する第１〜第３の直線部１２０，１２２，１２４とを含む。直線部１２０，１２２，１２４は、図４（Ｃ）に示されるようにフレキシブルリードシート８４を展開したときにはアルファベットの「Ｊ」の左右を反転し、さらに９０度右側に回転したような形状を持ち、第２筐体側端子部９４とタッチパネル・カメラ用端子部９６とがフレキシブルリードシート８４に対して同じ側に位置するようになっている。
【００５０】
直線部１００〜１０８、１２０〜１２４はいずれも、これらが形成する平面と直角な方向に柔軟に曲げることができる。
【００５１】
なお、図４において、表示装置用端子部９０、第２筐体側端子部９２、第２筐体側端子部９４及びタッチパネル・カメラ用端子部９６は、いずれも同じ方向を向いて設けられている。
【００５２】
図５に、図１（Ｂ）の状態（第１姿勢）を裏返した状態にあるＰＤＡ３０内におけるＦＰＣ８０の姿勢を示す。なお、以下に示す図５〜図７では、第１筐体４０は実線で示してあるが、ＦＰＣ８０の状態を分かりやすくするため、第２筐体４２を透明であると仮定してＦＰＣ８０の姿勢を実線で描き、第２筐体４２については仮想線（一点鎖線）で示してある。
【００５３】
図５を参照して、フレキシブルリードシート８２及びフレキシブルリードシート８４は図４（Ａ）に示すように、直線部１０６と直線部１２２、及び直線部１０８と直線部１２０が互いにほぼ一致する位置となるような状態で、かつ表示装置用端子部９０とタッチパネル・カメラ用端子部９６とが直線部１０６及び１２２を中心として互いに反対側に位置するように互いに重ねあわされ、第１筐体４０と第２筐体４２との間に配置されている。
【００５４】
フレキシブルリードシート８２の表示装置用端子部９０及びフレキシブルリードシート８４のタッチパネル・カメラ用端子部９６は、それぞれ第１筐体４０の背面に設けられた、第１筐体４０内の表示装置ドライバ用の回路基板のコネクタ（図示せず）及びタッチパネル・カメラ用回路基板のコネクタ（図示せず）に接続されている。フレキシブルリードシート８２の直線部１０８及びフレキシブルリードシート８４の直線部１２０は互いに重ねあわされ、図５に示すように重ねあわされたまま、第１姿勢と第３姿勢との間の並進方向（図５において矢印Ｙ１により示される方向）に対し交差する方向（図５において矢印Ｙ２により示される方向）の軸回りに１８０度だけ第２筐体４２側を向くように反転されている。このようにフレキシブルリードシートが１８０度回転された位置を本明細書ではフレキシブルリードシートの「屈曲部」と呼び、屈曲部が生じた面を「屈曲面」と呼ぶ。この状態で、第２筐体側端子部９２及び９４はいずれも第２筐体４２内部の回路基板上のコネクタ（図示せず）に接続されている。
【００５５】
以下、図１に示す第１姿勢〜第３姿勢において、フレキシブルリードシート８２及びフレキシブルリードシート８４がそれぞれどのような形状に変化するかを説明する。以下の説明では、図示を簡単にし分かりやすくするため、フレキシブルリードシート８２の形状変化を図６で、フレキシブルリードシート８４の形状変化を図７で、それぞれ個別に説明する。
【００５６】
図６は、フレキシブルリードシート８２の形状変化を示す図である。図６（Ａ）は第１姿勢におけるフレキシブルリードシート８２の形状を示し、図６（Ｂ）は第３姿勢、図６（Ｄ）は第２姿勢におけるフレキシブルリードシート８２の形状をそれぞれ示す。図６（Ｃ）は第１姿勢から第２姿勢に移動する途中のフレキシブルリードシート８２の形状を示す。
【００５７】
図６（Ａ）の状態からユーザがＰＤＡ３０を第２姿勢にする操作をすると、第２筐体４２が第１筐体４０に対して図示右下方向に並進を始める。図６（Ｃ）に示されるように、第２筐体側端子部９２がそれに伴って同じ方向に移動する。このときには、直線部１０６が２箇所において、この並進方向（図５において矢印Ｙ２で示す方向）と交差する方向（図５において矢印Ｙ１で示す方向）の軸回りに屈曲を始め、側面から見るとちょうどＳ字状になる。直線部１０６がこのように屈曲することで、表示装置用端子部９０が第１筐体４０に結合したまま、第２筐体側端子部９２が第２筐体４２とともに右下方向に並進することができる。
【００５８】
並進が完了した状態を図６（Ｄ）に示す。図６（Ｄ）を参照して、第２筐体側端子部９２の下の部分において直線部１０６がＳ字状に屈曲し、第２筐体側端子部９２がほぼ直線部１０４と同じ位置まで移動している。
【００５９】
図６（Ａ）に示す状態から、ユーザがＰＤＡ３０を第３姿勢にする操作をすると、第２筐体４２が図示左方向に移動する。図６（Ｂ）に示すように、この場合は第２筐体側端子部９２が左方向に移動するのに伴い、直線部１０８の屈曲部も左側に移動する。屈曲部が左側に移動することにより、第２筐体側端子部９２から屈曲部までの距離が長くなり、図６（Ｂ）に示す第３姿勢への変化が可能になる。
【００６０】
図７は、フレキシブルリードシート８４の形状変化を示す図である。図７（Ａ）は第１姿勢におけるフレキシブルリードシート８４の形状を示し、図７（Ｂ）は第３姿勢、図７（Ｄ）は第２姿勢におけるフレキシブルリードシート８４の形状をそれぞれ示す。図７（Ｃ）は第１姿勢から第２姿勢に移動する途中のフレキシブルリードシート８４の姿勢を示す。
【００６１】
図７（Ａ）及び図７（Ｃ）を参照して、図７（Ａ）の状態からユーザがＰＤＡ３０を第２姿勢にする操作をすると、第２筐体４２が第１筐体４０に対して図示右下方向に並進する。第２筐体側端子部９４がそれに伴って同じ方向に移動する。このときには、直線部１２２が２箇所において屈曲を始め、側面から見るとちょうどＳ字状になる。直線部１２２がこのように屈曲することで、タッチパネル・カメラ用端子部９６が第１筐体４０に結合したまま、第２筐体側端子部９４が第２筐体４２とともに右下方向に並進することができる。
【００６２】
並進が完了した状態を図７（Ｄ）に示す。図７（Ｄ）を参照して、第２筐体側端子部９４の下の部分において直線部１２２がＳ字状に屈曲し、第２筐体側端子部９４がほぼ直線部１２０と同じ位置まで移動している。
【００６３】
図７（Ａ）に示す状態からユーザがＰＤＡ３０を第３姿勢にする操作をすると、第２筐体４２が図示左方向に移動する。このときのフレキシブルリードシート８４の状態を、図７（Ｂ）に示す。図７（Ｂ）に示すように、この場合は第２筐体側端子部９４が左方向に移動するのに伴い、直線部１２０の屈曲部も左側に移動する。屈曲部が左側に移動することにより、第２筐体側端子部９４から屈曲部までの距離が長くなり、図７（Ｂ）に示す第３姿勢への変化が可能になる。
【００６４】
図５〜図７に示すように、ＦＰＣ８０において、フレキシブルリードシート８２及び８４、表示装置用端子部９０、第２筐体側端子部９２及び９４、及びタッチパネル・カメラ用端子部９６の配置及び形状を所定のものに選ぶことにより、ＦＰＣ８０によって、第１姿勢、第２姿勢、第３姿勢のいずれの間でも姿勢の変化が可能になり、しかもどの姿勢においても第２筺体４２と第１筺体４０との間の電気的接続が維持される。
【００６５】
以上説明した第１の実施の形態のＰＤＡ３０は、以下のように使用される。例えばワンセグ放送を受信し、メインディスプレイ４６に表示するときには、ＰＤＡ３０を図１（Ｂ）に示す第１姿勢とする。この状態では不要なボタン類は全て隠れており、誤ってボタンを押して誤動作を生じるおそれはない。
【００６６】
電子メールの作成時、又は文章の作成時など、高速で文字を入力する場合には、図１（Ａ）に示す第２姿勢でＰＤＡ３０を使用する。メインキー５２、カーソルキー５４等、文章を高速で入力するための入出力デバイスが全て利用可能であるため、従来の携帯電話機のように使用できるキーの数に制限がある場合と比較して、はるかに高速に目的の文章を作成できる。
【００６７】
ワンセグ放送の受信時にチャンネルを変えたりボリュームを変更したりする場合、又はメインディスプレイ４６を使用してゲームを行なったりする場合には、図１（Ｃ）に示すような第３姿勢にする。第３姿勢では、カーソルキー５４のようにゲーム操作又はＴＶ操作のために最低限必要なキーが利用でき、それ以外のキーは露出されない。したがって、ワンセグ放送受信中又はゲーム中に、誤って無関係なキーを押してしまい誤動作を生じさせる、というおそれが少ない。また、この第３姿勢では、サブディスプレイ５８に別チャンネルの放送を表示させたりすることが可能になり、携帯型のＰＤＡであるにもかかわらず、ワンセグ放送の多様な利用が可能になる。
【００６８】
なお、サブディスプレイ５８が設けられているスペースは、仮にＰＤＡ３０が第１姿勢と第２姿勢しか取れないような装置ではデッドスペースとなり、利用されていなかったスペースである。このスペースを有効に利用することができるため、従来の携帯型の携帯型端末と比較してより多様な機能を携帯型端末に盛込むことが可能になる。例えばこのスペースにサブディスプレイ５８を設けることにより、カメラ使用時のファインダとしてメインディスプレイ４６ではなくより消費電力の小さなサブディスプレイ５８で画面を確かめることができる。ファインダ専用のサブディスプレイを第１筺体４０の表面に設けたりする必要がなく、第１筺体４０及び第２筺体４２の表面を有効に利用できる。
【００６９】
以上のように本実施の形態に係る携帯型端末であるＰＤＡ３０では、第１筺体４０と第２筺体４２とが、三つの姿勢のいずれかをとるように、回転を伴わない並進運動によって位置を変える。それらの状態では、第２筺体４２に設けられた入出力デバイスのうち、露出されるものの構成が異なり、全く露出されないか、大部分が露出されるか、一部のみが露出されるか、のいずれかの状態となる。したがって、使用する入出力デバイスの種類及び数に応じて上記した三つの姿勢のいずれかをとるようにすることで、ワンセグ放送に対応可能で、しかも利用中に誤動作を生じる恐れが少ない、利用しやすい携帯型端末を提供できる。
【００７０】
上記実施の形態では、図４に示した平面形状を有するフレキシブルリードシート８２及び８４を重ねて用いている。このように二つのフレキシブルリードシートを重ねることにより、各々を単独で使用する場合と比較して、フレキシブルリードシート８２及び８４にかかる屈曲負荷が小さくなり、これらに断線などの故障が発生する可能性は小さくなる。
【００７１】
また、第１筐体４０及び第２筐体４２をフレキシブルリードシート８２及び８４でそれぞれ独立に接続しているため、次のような効果が生じる。すなわち、図５に示すように、表示装置用端子部９０及びタッチパネル・カメラ用端子部９６を第１筐体４０の両端近くに離して配置することができる。通常、第１筐体４０に表示装置を設ける場合、第１筐体４０の中央部に表示部が配置されるような設計が行なわれる。図５に示すようなコネクタの配置を採用すると、第１筐体４０の両端に、例えば表示装置用の回路基板とタッチパネル・カメラ用の回路基板とを離して配置することができ、第１筐体４０のバランスをよくすることができる。
【００７２】
また、表示装置に送られるデータは情報量が多いため、比較的多くのリード線（例えば５０本程度）が必要となる。そのため、表示装置用とタッチパネル及びカメラ用とのために単一のフレキシブルリードシートを採用すると、コネクタのピン数が多くなり、装置のサイズを小さく維持しようとするとコネクタの作成が困難になる。本実施の形態のように表示装置用のフレキシブルリードシート８２とタッチパネル・カメラ用のフレキシブルリードシート８４とを別々にすることで、コネクタのピン数の合計が多くなってもコネクタを容易に作成することができる。
【００７３】
ただし、本発明はこのような実施の形態には限定されない。例えばコネクタとして十分なピン数のものが利用可能であれば、例えば単一のフレキシブルリードシートを使用するようにしてもよい。
【００７４】
上記実施の形態に係るＰＤＡ３０では、直線部１０６及び直線部１２２が、第１姿勢のときには直線状となっており、これらにかかる屈曲負荷はほぼ０に等しい。ＰＤＡ３０は通常第１姿勢となっており、使用時のみ第２又は第３姿勢とすることが考えられる。第２姿勢では直線部１０６及び１２２はＳ字状に屈曲するため、ある程度の屈曲負荷がかかる。しかし、第１姿勢で使用される時間が大部分であり、第２姿勢で使用される時間がごくわずかであれば、フレキシブルリードシートに負荷がかかる時間は短くなり、断線などの故障が生じるおそれは小さい。
【００７５】
また、第１姿勢では直線部１０６及び１２２は直線状となっている。第１筐体４０と第２筐体４２とを互いに接続する際に、特許文献１に記載のように屈曲部を設けていないため、屈曲のために必要なフレキシブルリードシート長を節約することができる。
【００７６】
［第２の実施の形態］
上記した実施の形態では、第１姿勢では直線部１０６及び直線部１２２が直線状となっており、第２姿勢のときにＳ字状に屈曲する。こうした構成は、通常第１姿勢で使用するようなＰＤＡの場合には直線部１０６及び１２２に係る屈曲負荷が小さな時間が長いため、断線などの故障が生じるおそれは小さい。しかし、逆に第１姿勢ではなく第２姿勢で使用される時間が長いＰＤＡの場合には、Ｓ字状に屈曲している時間が長くなり、故障が発生するおそれがある。
【００７７】
第２の実施の形態に係るＰＤＡは、第１の実施の形態に係るＰＤＡ３０と同様、第１姿勢〜第３姿勢の三つの姿勢をとるが、第１姿勢をとる時間よりも第２姿勢をとる時間の方が長い場合に適したフレキシブルリードシートの構成を有する。
【００７８】
図８に、この第２の実施の形態に係る電子機器であるＰＤＡで使用されるＦＰＣの平面形状を示す。図８（Ａ）を参照して、このＦＰＣ１３０は、フレキシブルリードシート１３２及び１３４を含む。フレキシブルリードシート１３２は第１筐体４０内の表示装置用の回路基板と第２筐体４２内の回路基板とを接続するためのものである。フレキシブルリードシート１３４は第１筐体４０内のタッチパネル及びカメラ用の回路基板と第２筐体４２内の回路基板とを接続するためのものである。
【００７９】
図８（Ｂ）を参照して、フレキシブルリードシート１３２は、表示装置用端子部１４０及び第２筐体側端子部１４２と、内部にこれらを結ぶリード線が封入された直線部１５０，１５２，及び１５４とを含む。直線部１５０及び１５２は同じ平面内で互いに直角に交わり、直線部１５２及び１５４も同じ平面内で互いに直角に交わる。
【００８０】
図８（Ｃ）を参照して、フレキシブルリードシート１３４は、第２筐体側端子部１４４及びタッチパネル・カメラ用端子部１４６と、内部にこれらを結ぶリード線が封入された
直線部１６０，１６２，１６４，１６６及び１６８とを含む。直線部１６０と直線部１６
２、直線部１６２と直線部１６４、直線部１６４と直線部１６６、直線部１６６と直線部１６８とは、いずれも同一平面で互いに直角に交わる。第２筐体側端子部１４４は直線部１６０に、タッチパネル・カメラ用端子部１４６は直線部１６８に、それぞれ取り付けられている。
【００８１】
なお、図８において、表示装置用端子部１４０とタッチパネル・カメラ用端子部１４６とはフレキシブルシート１３２及び１３４の表面側に設けられており、第２筐体側端子部１４２及び１４４は、フレキシブルシート１３２及び１３４の裏面側に設けられている。
【００８２】
図９を参照して、この第２の実施の形態にかかるＰＤＡ３００は、第１の実施の形態に係るＰＤＡ３０と同様、第１筐体４０及び第２筐体４２を含み、ＰＤＡ３０と同様、第１、第２、及び第３姿勢をとる。図９は、第１姿勢にあるＰＤＡ３００の第１筐体４０及び第２筐体４２にＦＰＣ１３０が組み付けられた状態を示す。図９を参照して、フレキシブルリードシート１３２及び１３４は、直線部１５２及び１６２と直線部１５４及び１６０とが互いに重なるように、かつ表示装置用端子部１４０とタッチパネル・カメラ用端子部１４６とが直線部１５２及び１６２に関して互いに反対側に位置するように互いに重ねあわされている。
【００８３】
フレキシブルリードシート１３２の表示装置用端子部１４０及びフレキシブルリードシート１３４のタッチパネル・カメラ用端子部１４６は、いずれも第１筐体４０内の表示装置用回路基板及びタッチパネル・カメラ用回路基板に、図示しないコネクタを介して接続されている。直線部１５２及び１６２は、互いに重ねあわされた状態で、第１姿勢及び第２姿勢の間での並進方向（図９において矢印Ｙ２により示される方向）に対し交差する方向（図９において矢印Ｙ１により示される方向）の軸回りに第２筐体４２側に反転される。直線部１５２及び１６２の、反転された方の端部から出ている直線部１５４及び直線部１６０は、さらに、互いに重ねあわされたまま第１姿勢及び第３姿勢の間での並進方向（図９において矢印Ｙ１により示される方向）に対し交差する方向（図９において矢印Ｙ２により示される方向）の軸回りに１８０度だけ第２筐体４２側に反転される。この結果、第２筐体側端子部１４２及び１４４のコネクタ部が第２筐体４２側を向くようになっている。
【００８４】
この第２の実施の形態に係るＦＰＣ１３０は、ＰＤＡの姿勢を変化させるときには以下のようにその形状を変化させる。以下では、図及び説明を簡略にするために、フレキシブルリードシート１３２及び１３４を別々に図示し、その状態の変化を説明する。
【００８５】
図１０（Ａ）、（Ｂ）及び（Ｃ）に、それぞれ第１姿勢、第２姿勢、及び第３姿勢におけるフレキシブルリードシート１３２の状態を示す。同様にして、図１１（Ａ），（Ｂ）及び（Ｃ）に、それぞれ第１姿勢、第３姿勢、及び第２姿勢におけるフレキシブルリードシート１３４の状態を示す。
【００８６】
図１０（Ａ）を参照して、既に述べたとおり、フレキシブルリードシート１３２の直線部１５２及び直線部１５４がＵ字状に第２筐体４２側に屈曲し、その結果第２筐体側端子部１４２が第２筐体４２の下面のほぼ中央の位置に配置され、図示しないコネクタで第２筐体４２内部の回路基板に連結されている。
【００８７】
図１０（Ｃ）を参照して、ユーザがＰＤＡを第２姿勢にする操作をすると、第２筐体４２が第１筐体４０に対して図示右下方向に並進移動する。このときには、直線部１５２の第２筐体側端子部１４２側の端部が第２筐体側端子部１４２とともに右下方に移動する。これに伴い、直線部１５２の屈曲部がやはり右下方に移動する。第２姿勢のときには、第２筐体側端子部１４２の移動方向の先端部と、直線部１５２の屈曲部とがほぼ同じ位置になる。直線部１５４は第２筐体４２とともに位置を変えるがその状態は変化しない。直線部１５０は第２姿勢でも第１姿勢時と同じ状態のままである。
【００８８】
図１０（Ｂ）を参照して、ユーザがＰＤＡを第３姿勢にする操作をすると、第２筐体４２が第１筐体４０に対して図示左方に並進移動する。この移動に伴い、第２筐体側端子部１４２も左方に移動する。このときには、直線部１５４の先端が第２筐体側端子部１４２とともに移動し、これに伴い直線部１５４の屈曲部も左方に移動する。直線部１５０及び１５２の状態は変化しない。
【００８９】
図１１（Ａ）を参照して、フレキシブルリードシート１３４の直線部１６２及び直線部１６０がＵ字状に第２筐体４２側に屈曲し、その結果第２筐体側端子部１４４が第２筐体４２の下面のほぼ中央の位置に配置され、図示しないコネクタで第２筐体４２内部の回路基板に連結されている。
【００９０】
図１１（Ｂ）を参照して、ユーザがＰＤＡを第３姿勢にする操作をすると、第２筐体４２が第１筐体４０に対して図示左方に並進移動する。この移動に伴い、第２筐体側端子部１４４も左方に移動する。このときには、直線部１６０の先端が第２筐体側端子部１４４とともに移動し、これに伴い直線部１６０の屈曲部も左方に移動する。他の直線部の状態は変化しない。
【００９１】
図１１（Ｃ）を参照して、ユーザがＰＤＡを第２姿勢にする操作をすると、第２筐体４２が第１筐体４０に対して図示右下方向に並進移動する。このときには、直線部１６２の第２筐体側端子部１４４側の端部が第２筐体側端子部１４４とともに右下方に移動する。これに伴い、直線部１６２の屈曲部がやはり右下方に移動する。第２姿勢のときには、第２筐体側端子部１４４の移動方向の先端部と、直線部１６２の屈曲部とがほぼ同じ位置になる。直線部１６０は第２筐体４２とともに位置を変えるがその状態は変化しない。直線部１６４等は第２姿勢でも第１姿勢時と同じ状態のままである。
【００９２】
図１０及び図１１を参照して分かるとおり、図９に示されるように重ねあわされたフレキシブルリードシート１３２及び１３４は、第１筐体４０及び第２筐体４２が第１〜第３姿勢の間でその状態を変えたときに、それに追従して変形し、第１筐体４０と第２筐体４２との間の電気的な接続を保つことができる。
【００９３】
この第２の実施の形態では、第１の実施の形態とは異なり、直線部１５２及び１６２の屈曲部がいずれも一箇所のみとなる。したがって、第２姿勢となっているときには第１の実施の形態におけるようにＳ字状となっている場合と比較して直線部１５２及び１６２にかかる屈曲負荷が小さくなる。一方、第１姿勢では第２筐体側端子部１４２及び１４４が直線部１５２及び１６２とそれぞれの端部との距離が短くなるような方向に移動するため、これらの屈曲部に係る負荷が大きくなり、第２姿勢のときよりも直線部１５２及び１６２に断線などの故障が生ずる可能性は高くなる。しかし、この第２の実施の形態では、ＰＤＡが第１姿勢で用いられることが少なく、第２姿勢で用いられることが多いことが仮定されている。そうした場合には、この第２の実施の形態に示すようなＦＰＣ１３０の構成を採用することにより、全体としてＦＰＣに断線などの不都合が発生する危険性を小さくすることができる。
【００９４】
［屈曲形状と屈曲負荷とに関する考察］
以上、第１の実施の形態と第２の実施の形態とにおいて、ＦＰＣの屈曲形状として二通りを用いている。以下、それらとＦＰＣにかかる屈曲負荷との関係、及びそれに伴うＦＰＣの劣化とについて述べる。フレキシブルリードシートの劣化度を一般的に検討する場合には、その素材の柔軟性、端子部とシートとの接合部の構造等の要因も考慮する必要がある。しかしここでは、フレキシブルリードシートの屈曲に伴う負荷という側面だけについて考える。
【００９５】
図１２（Ａ）に、屈曲時に断面がＳ字状となるＦＰＣ１８０の伸長時と屈曲時との状態を示す。図１２（Ａ）の左側に示すようにＦＰＣ１８０が伸長状態にあるときを以下「Ｉ字状」と呼び、図１２（Ａ）の右側に示す状態を「Ｓ字状」と呼ぶ。また、このような変形をするように使用されるＦＰＣを「Ｉ−Ｓタイプ」と呼ぶことにする。
【００９６】
同様に図１２（Ｂ）に、屈曲部の断面形状がＵ字状であるＦＰＣ１９０の伸長時と屈曲時との状態を示す。図１２（Ｂ）左側に示す状態を「Ｕ字状」と呼び、図１２（Ｂ）右側に示すようにＵ字状のいずれか一方が移動した状態を「Ｊ字状」と呼ぶことにする。また、このようにＵ字状とＪ字状との間で状態を変えるように使用されるＦＰＣを「Ｕ−Ｊタイプ」と呼ぶことにする。
【００９７】
Ｉ−Ｓタイプの場合、図１２（Ａ）の左側に示すようにＦＰＣ１８０が伸長状態にあるときには、ＦＰＣ１８０にかかる屈曲負荷は０である。一方、図１２（Ｂ）の右側に示すようにＦＰＣ１８０が断面Ｓ字状の屈曲状態にあるときには、ＦＰＣ１８０にかかる屈曲負荷は大きい。
【００９８】
前述したとおり、図１２（Ａ）の左側の状態にある時間が長いような携帯端末の場合には、このＩ−Ｓタイプを使用することにより、Ｉ字状である時間が長くなり、屈曲部に断線等の障害が発生する危険性を低くすることができる。上記した第１の実施の形態がこのような使用方法に相当する。またこの場合には、通常時にはフレキシブルリードシートがこの部分でＩ字状となっているため、第２の実施の形態のように通常時にＵ字状（又はＪ字状）となっている場合と比較して、フレキシブルリードシートの長さを短くすることができるという効果もあり、その結果、断線する危険性がさらに小さくなり、その上コストも低減することができるという副次的な効果を奏する。
【００９９】
一方、Ｕ−Ｊタイプの場合、図１２（Ｂ）の左側のように屈曲部から端部までの距離が比較的長いような場合には屈曲負荷は比較的小さい。それに対し図１２（Ｂ）の右側のように、屈曲部からいずれかの端部までの距離が短くなると、端部には通常端子部が設けられており固定されているために、屈曲部に係る負荷は中程度まで大きくなる。
【０１００】
したがって、図１２（Ｂ）の左側の状態にある時間が長いような携帯端末の場合には、このＵ−Ｊタイプを使用することにより、屈曲部に断線等の障害が発生する危険性を低くすることができる。上記した第２の実施の形態がそのような使用方法に該当する。
【０１０１】
なお、Ｉ−Ｓタイプ、Ｕ−Ｊタイプのいずれを選択するかは、二つの筐体内の回路基板の位置はどのようになっているか、長時間使用されるのは電子機器がどのような状態のときか、などの条件によって定められる。
【０１０２】
例えば、第１の実施の形態では、フレキシブルリードシートが、ＰＤＡの第１姿勢のときにＩ字状、第３姿勢のときにＳ字状としたが、その逆の構成もあり得る。同様に、第２の実施の形態では、ＰＤＡの第１姿勢のときにＵ字状、第３姿勢のときにＪ字状としたが、これについても逆の構成があり得る。
【０１０３】
より具体的な例を挙げる。例えばセカンドバッグに収納できる程度の大きさで、筐体をスライドさせることによりフルキーボードが現れるような商品の場合、商品コンセプトとしてフルキーボードを頻繁に使用することが想定される場合とそうでない場合とがある。フルキーボードを頻繁に使用するような商品でなければ、閉状態のときにフレキシブルリードシートがＩ字状となるような構成とすべきであり、フルキーボードを頻繁に使用することが想定されるのであれば、開状態のときにフレキシブルリードシートがＩ字状となるような構成とすべきである。またノートＰＣ程度の比較的大きな端末で、普段は机上で使用するような商品の場合、通常時はフルキーボードが現れており、持ち運びの際だけキーボード部分を本体に収納することが想定される。そのような商品であれば、開状態のときにフレキシブルリードシートがＩ字状となるような構成とすべきである。
【０１０４】
以上のとおり、本発明の実施の形態によれば、複数の筐体を持ち、それら筐体の位置を互いに並進させることによって複数通りの姿勢をとりうる電子機器において、それら複数の筐体の間での電気的接続をＦＰＣにより保ちながら、屈曲負荷によるＦＰＣの障害の発生の危険性を低く抑えることができ、しかも多様な形態で電子機器を使用することが可能になる。
【０１０５】
なお、上記した実施の形態は、いずれもＰＤＡであった。しかし本発明はＰＤＡのみに適用可能なわけではなく、以上の説明から明らかなように多機能な携帯電話機、リモートコントローラ、音楽プレーヤ、データ蓄積装置等、複数個の筐体を持ち、それらの相対的な位置をスライドにより変化させて複数の姿勢をとることができる電子機器であればどのようなものにも適用することが可能である。
【０１０６】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内でのすべての変更を含む。
【図面の簡単な説明】
【０１０７】
【図１】本発明の第１の実施の形態に係る携帯型端末であるＰＤＡ３０の三つの姿勢を示す図である。
【図２】ＰＤＡ３０の第２筺体４２の外観を示す図である。
【図３】ＰＤＡ３０の第１筺体４０の背面を示す図である。
【図４】ＰＤＡ３０で使用されるＦＰＣ８０の概略平面形状を示す図である。
【図５】ＰＤＡ３０の内部でのＦＰＣ８０の形状を示す図である。
【図６】ＰＤＡ３０の内部でのフレキシブルリードシート８２の形状の変化を示す図である。
【図７】ＰＤＡ３０の内部でのフレキシブルリードシート８４の形状の変化を示す図である。
【図８】本発明の第２の実施の形態に係る携帯型端末であるＰＤＡ３００で使用されるＦＰＣ１３０の概略平面形状を示す図である。
【図９】ＰＤＡ３００の内部でのＦＰＣ１３０の形状を示す図である。
【図１０】ＰＤＡ３００の内部でのフレキシブルリードシート１３２の形状の変化を示す図である。
【図１１】ＰＤＡ３００の内部でのフレキシブルリードシート１３４の形状の変化を示す図である。
【図１２】Ｉ−Ｓタイプ及びＵ−Ｊタイプのフレキシブルリードシートを示す図である。
【符号の説明】
【０１０８】
３０，３００  ＰＤＡ
４０  第１筺体
４２  第２筺体
４６  メインディスプレイ
５２  メインキー
５４  カーソルキー
５８  サブディスプレイ
８０，１３０  ＦＰＣ
８２，８４，１３２，１３４  フレキシブルリードシート
１００，１０２，１０４，１０６，１０８，１２０，１２２，１２４，１５０，１５２，１５４，１６０，１６２，１６４，１６６，１６８  直線部
９０，１４０  表示装置用端子部
９２，９４，１４２，１４４  第２筐体側端子部
９６，１４６  タッチパネル・カメラ用端子部
【図１】
2008123081.tif 000003
【図２】
2008123081.tif 000004
【図３】
2008123081.tif 000005
【図４】
2008123081.tif 000006
【図５】
2008123081.tif 000007
【図６】
2008123081.tif 000008
【図７】
2008123081.tif 000009
【図８】
2008123081.tif 000010
【図９】
2008123081.tif 000011
【図１０】
2008123081.tif 000012
【図１１】
2008123081.tif 000013
【図１２】
2008123081.tif 000014